(57)【要約】【課題】携帯端末の待ち受け画面および／またはアドレス帳イメージ画面を変更する携帯端末を提供する。【解決手段】携帯端末画面の変更を許可するメールアドレスを事前に設定する。Ｅメールを受信し、受信したＥメールに添付された画像ファイルをデータフォルダに保存し、受信したＥメールのメールアドレスが変更を許可されたメールアドレスであるかどうか確認し、変更を許可されたメールアドレスである場合、データフォルダから受信したＥメールに添付された画像ファイルを取り出し、携帯端末画面に表示する。【選択図】図５
2011101147.tif 000002
【特許請求の範囲】
【請求項１】
Ｅメールを受信するＥメール手段と、
前記受信したＥメールに添付された画像ファイルを保存するデータフォルダと、
携帯端末画面の変更を許可するメールアドレスを設定し、前記受信したＥメールのメールアドレスが変更を許可されたメールアドレスであるかどうか確認し、変更を許可されたメールアドレスである場合、前記データフォルダから前記受信したＥメールに添付された画像ファイルを画面表示手段に送付する画面設定手段と、
前記送付された画像ファイルを携帯端末画面に表示する画面表示手段と、
を備えていることを特徴とする携帯端末。
【請求項２】
前記携帯端末画面は、携帯端末の待ち受け画面および／またはアドレス帳イメージ画面であることを特徴とする請求項１に記載の携帯端末。
【請求項３】
前記携帯端末画面に表示する画像ファイルが添付されたＥメールを受信した際、鳴動を行わないことを特徴とする請求項１または２に記載の携帯端末。
【請求項４】
携帯端末画面の変更を許可するメールアドレスを設定するステップと、
Ｅメールを受信するステップと、
前記受信したＥメールに添付された画像ファイルをデータフォルダに保存するステップと、
前記受信したＥメールのメールアドレスが、変更を許可されたメールアドレスであるかどうか確認し、変更を許可されたメールアドレスである場合、前記データフォルダから前記受信したＥメールに添付された画像ファイルを送付するステップと、
前記送付された画像ファイルを携帯端末画面に表示するステップと、
を含むことを特徴とする携帯端末の画面を変更する方法。
【発明の詳細な説明】
【技術分野】
【０００１】
本発明は、携帯端末の画面を変更する方法および該方法を実行する携帯端末に関する。より詳細には、電子メール（以下、Ｅメール）を送信することにより、他人の携帯端末の待ち受け画面およびアドレス帳イメージ画面（着信時画面）を変更する方法および該方法を実行する携帯端末に関する。
【背景技術】
【０００２】
現在、携帯端末には、待ち受け画面およびアドレス帳イメージ画面に利用者が好みの画像を設定する機能が備わっている。利用者は、この機能を利用して、デジタルカメラで撮影した画像、インターネットからダウンロードした画像、または友人等からもらった画像を待ち受け画面に表示することができる。また、アドレス帳イメージ画面に、そのアドレスの人物の写真等の様々な画像を表示することができる。
【０００３】
また、携帯端末は、画像ファイル等のバイナリファイルを添付して、Ｅメールを送信することが可能である。この機能を利用して、利用者は画像ファイル等を家族、友人等に送ることができる。
【発明の概要】
【発明が解決しようとする課題】
【０００４】
しかしながら、携帯端末の待ち受け画面およびアドレス帳イメージ画面の画像設定とＥメールは連動していなかった。そのため、自分が所有する画像を家族、友人等の待ち受け画面またはアドレス帳イメージ画面に設定してもらうためには、Ｅメールに画像ファイルを添付して送信し、受信者に携帯端末の設定を変えてもらう必要があった。
【０００５】
また、携帯端末の待ち受け画面は、利用者自身が変更する、または利用者自身の設定により自動的に変更されるものである。そのため、利用者は、画面に何が表示されるか分かっており、利用者自身が知らないうちに待ち受け画面が変更されることはなく待ち受け画面を見る楽しみはなかった。
【０００６】
従って、本願発明は携帯端末の画面（待ち受け画面およびアドレス帳イメージ画面）を変更する方法および該方法を実行する携帯端末を提供することを目的とする。
【課題を解決するための手段】
【０００７】
上記目的を実現するため本発明による携帯端末は、Ｅメールを受信するＥメール手段と、前記受信したＥメールに添付された画像ファイルを保存するデータフォルダと、携帯端末画面の変更を許可するメールアドレスを設定し、前記受信したＥメールのメールアドレスが変更を許可されたメールアドレスであるかどうか確認し、変更を許可されたメールアドレスである場合、前記データフォルダから前記受信したＥメールに添付された画像ファイルを画面表示手段に送付する画面設定手段と、前記送付された画像ファイルを携帯端末画面に表示する画面表示手段とを備えている。
【０００８】
また、前記携帯端末画面は、携帯端末の待ち受け画面および／またはアドレス帳イメージ画面であることも好ましい。
【０００９】
また、前記携帯端末画面に表示する画像ファイルが添付されたＥメールを受信した際、鳴動を行わないことも好ましい。
【００１０】
上記目的を実現するため本発明による携帯端末の画面を変更する方法は、携帯端末画面の変更を許可するメールアドレスを設定するステップと、Ｅメールを受信するステップと、前記受信したＥメールに添付された画像ファイルをデータフォルダに保存するステップと、前記受信したＥメールのメールアドレスが、変更を許可されたメールアドレスであるかどうか確認し、変更を許可されたメールアドレスである場合、前記データフォルダから前記受信したＥメールに添付された画像ファイルを送付するステップと、前記送付された画像ファイルを携帯端末画面に表示するステップとを含む。
【発明の効果】
【００１１】
以上のように本発明によれば、Ｅメールに画像ファイルを添付して送信することにより、携帯電話の待ち受け画面またはアドレス帳のイメージ画面に添付された画像を表示させることが可能になる。
【図面の簡単な説明】
【００１２】
【図１】本実施形態における携帯電話の動作概要を示す。
【図２】上記機能を実現する本実施形態における携帯電話の機能ブロックを示す。
【図３】本実施形態における待ち受け画面の設定画面を示す。
【図４】本実施形態における携帯電話の待ち受け画面表示のシーケンスを示す。
【図５】本実施形態における携帯電話の待ち受け画面表示のフローチャートを示す。
【図６】第２の実施形態におけるアドレス帳の画面を示す。
【発明を実施するための形態】
【００１３】
本発明を実施するための最良の実施形態について、以下では図面を用いて詳細に説明する。図１は本実施形態における携帯電話の動作概要を示す。本実施形態ではＥメール添付の画像ファイルを自動的に待ち受け画面に表示する。
【００１４】
待ち受け画面に表示してほしい画像を所有する携帯電話１の利用者は、Ｅメールに画像ファイルを添付して、携帯電話２に送信する（１）。携帯電話２は携帯電話１からＥメールを受信する（２）。このＥメールに添付された画像ファイルを保存して、携帯電話１のメールアドレスが、携帯電話２に事前に設定された待ち受け画面の変更を許容するＥメールアドレス（まちうけチェンジメールアドレス）である場合、携帯電話２の待ち受け画面に自動的に添付画像が表示される（３）。なお、本実施形態では画像の送信は携帯電話から行ったが、画像の送信は携帯電話だけでなく、パソコン等のＥメールを送信できる装置からも行うことができる。
【００１５】
図２は、上記機能を実現する本実施形態における携帯電話の機能ブロックを示す。本携帯電話は、Ｅメール機能２１、データフォルダ２２、待ち受け画面設定機能２３および画面表示機能２４を備えている。
【００１６】
Ｅメール機能２１は、他の携帯端末からＥメールを受信する、および他の携帯端末にＥメールを送信する。また、Ｅメールを受信した場合、当該Ｅメールに待ち受け画面に設定できる画像ファイルが添付されているかどうか確認し、添付されていた場合、Ｅメールアドレスを待ち受け画面設定機能２３に通知する。
【００１７】
データフォルダ２２は、Ｅメール機能２１が受信したＥメールに添付された画像ファイルを保存する。
【００１８】
待ち受け画面設定機能２３は、待ち受け画面の設定画面を表示し、まちうけチェンジメールアドレスを設定する機能を有している。
【００１９】
図３は、本実施形態における待ち受け画面の設定画面を示す。例えば、メニューから「機能／設定」→「画面設定」→「メインディスプレイ」→「待受画面」とたどることにより本画面を表示することができる。待ち受け画面の設定画面には、待ち受け画面の画像を指定するボックス、表示画質を設定するボックス等が存在している。本図において、下部の点線で囲まれた「まちうけチェンジメールアドレスの設定部分」および「知らないうちに設定（鳴動なし）のチェックボックス」が本発明により追加される部分である。利用者は、まちうけチェンジメールアドレスの設定部分に、メールアドレスを登録することにより、待ち受け画面の変更を許容するＥメールアドレスを登録できる。また、利用者が「知らないうちに設定（鳴動なし）」のチェックボックスにチェックすることにより、当該ＥメールアドレスからのＥメール受信した場合、携帯電話を鳴動させない設定にすることも可能である。この場合、待ち受け画面を利用者の知らないうちに変更させることが可能になる。
【００２０】
また、待ち受け画面設定機能２３は、Ｅメール機能２１から、Ｅメールアドレスの通知があった場合、当該Ｅメールアドレスがまちうけチェンジメールアドレスかどうか確認し、まちうけチェンジメールアドレスであった場合、画像ファイルをデータフォルダ２３から取得して画面表示機能２４に渡す。
【００２１】
画面表示機能２４は待ち受け画面設定機能２３から渡された画像ファイルを待ち受け画面として表示する。
【００２２】
図４は、本実施形態における携帯電話の待ち受け画面表示のシーケンスを示し、図５は、本実施形態における携帯電話の待ち受け画面表示のフローチャートを示す。以下本フローチャートに従い携帯電話の動作について説明する。なお、図４の（１）事前設定は、図３の待ち受け画面の設定画面により、まちうけチェンジメールアドレスおよび鳴動の設定を行うことである。
ステップ１：Ｅメール機能２１は、他の携帯電話からＥメールを受信する。
ステップ２：Ｅメール機能２１は、当該Ｅメールに画像ファイルが添付されているかどうか確認する。添付されている場合はステップ３に進み、添付されていない場合は処理を終了する。
ステップ３：Ｅメール機能２１は、添付された画像ファイルをデータフォルダ２２に保存する。
ステップ４：Ｅメール機能２１は、待ち受け画面設定機能２３にＥメールアドレスを通知する。
ステップ５：待ち受け画面設定機能２３は、通知されたＥメールアドレスが事前に設定されたまちうけチェンジメールアドレスであるかどうか確認する。まちうけチェンジメールアドレスであった場合、ステップ６に進み、そうでない場合は終了する。
ステップ６：待ち受け画面設定機能２３は、データフォルダ２２に当該Ｅメールの添付画像ファイルを画面表示機能２４に送付するように指示する。画面表示機能２４は受けとった画像ファイルを待ち受け画面として表示し、終了する。
【００２３】
上記処理終了後、携帯電話２は通常のメール受信処理を実行する。その際、鳴動させない設定になっている場合、待ち受け画面を変更するＥメールが届いたとき、携帯電話２を鳴動させない。
【００２４】
本発明の第２の実施形態では、Ｅメール添付の画像ファイルを自動的にアドレス帳のイメージ画面に表示する。図６は、第２の実施形態におけるアドレス帳の画面を示す。
【００２５】
アドレス帳のイメージ画面には、このアドレスの電話番号、Ｅメールアドレス、イメージ画面等が存在している。本図において、下部の点線で囲まれた「添付ファイルをイメージに設定」のチェックボックスと「イメージチェンジメールアドレス」の設定ボックスが本発明により追加される部分である。「添付ファイルをイメージに設定」がチェックされたアドレス帳のメールアドレスにＥメールが届いた場合、このＥメールに添付された画像が自動的にアドレス帳のイメージ画面に表示される。なお、本チェックボックスがチェックされた場合、「イメージチェンジメールアドレス」の設定ボックスはグレーアウトされ、設定できないようになる。
【００２６】
「イメージチェンジメールアドレス」の設定ボックスには、任意のＥメールアドレスが登録可能である。ここに設定したＥメールアドレスからＥメールが届いたとき、このＥメールに添付された画像が自動的にアドレス帳イメージ画面に表示される。
【００２７】
本実施形態における携帯電話の機能ブロックは、待ち受け画面設定機能２３の代わりにアドレス帳設定機能（図示せず）を備えている。アドレス帳設定機能は、上記で説明したアドレス帳の画面のチェックボックスおよび設定ボックスをアドレス帳に追加して表示し、設定された内容を参照する機能を有している。また、Ｅメール機能２１から、受信Ｅメールアドレスの通知があった場合、当該Ｅメールアドレスが、チェックボックスがチェックされたアドレス帳のメールアドレスであるか、または設定ボックスに設定されたメールアドレスであるか確認する。アドレス帳のメールアドレス、または設定ボックスに設定されたメールアドレスであった場合、当該Ｅメールに添付されていた画像ファイルをデータフォルダ２２から取得して画面表示機能２４に渡す。
【００２８】
また、本実施形態のＥメール機能２１は、Ｅメールを受信した場合、当該Ｅメールにアドレス帳イメージ画面に設定できる画像ファイルが添付されているかどうか確認し、添付されていた場合、Ｅメールアドレスをアドレス帳設定機能に通知する。本実施形態の画面表示機能２４は、アドレス帳設定機能から渡された画像ファイルをアドレス帳のイメージとして表示する。
【００２９】
本発明の第３の実施形態では、待ち受け画面とアドレス帳のイメージ画面の両方にＥメール添付画像を表示する。本実施形態の携帯電話の機能ブロックは、待ち受け画面設定機能２３とアドレス帳設定機能の両方を備えている。
【００３０】
以上のように本発明によれば、Ｅメールに画像ファイルを添付して送信することにより、携帯電話の待ち受け画面またはアドレス帳のイメージ画面に、画像を表示させることが可能になる。これにより、例えば、祖父が息子または孫のメールアドレスをまちうけチェンジメールアドレスに設定し、息子または孫が節目（入学式、誕生日等）の写真を添付して祖父に送信することで、祖父の携帯電話の待ちうけ画面を息子または孫の節目の画像に変更することができる。
【００３１】
また、以上述べた実施形態は全て本発明を例示的に示すものであって限定的に示すものではなく、本発明は他の種々の変形態様および変更態様で実施することができる。従って本発明の範囲は特許請求の範囲およびその均等範囲によってのみ規定されるものである。
【符号の説明】
【００３２】
１、２  携帯電話
２１  Ｅメール機能
２２  データフォルダ
２３  待ち受け画面設定機能
２４  画面表示機能
【図１】
2011101147.tif 000003
【図２】
2011101147.tif 000004
【図３】
2011101147.tif 000005
【図４】
2011101147.tif 000006
【図５】
2011101147.tif 000007
【図６】
2011101147.tif 000008